(57)【要約】【課題】小型化や軽量化を図りつつ、投写される画像の画質を高めたプロジェクターを提供する。【解決手段】プロジェクターは、光源から射出された光束を変調する液晶ライトバルブ３５１、および液晶ライトバルブ３５１にて変調された変調光を投写する投写レンズ５を備える。投写レンズ５は、光量を調整する絞り部材５１と、絞り部材５１の光路後段側に配置され、変調光の一部を遮光する遮光部材５６と、を備え、遮光部材５６は、投写レンズ５の光軸５ｃに直交する面内における変調光が照射される照射領域において、変調光が通過する開口部５６１と、照射領域の角部に重なる変調光を遮光する遮光領域７と、を有している。【選択図】図３
2012137605.tif 000002
【特許請求の範囲】
【請求項１】
光源から射出された光束を変調する光変調装置、および前記光変調装置にて変調された変調光を投写する投写レンズを備えたプロジェクターであって、
前記投写レンズは、
光量を調整する絞り部材と、
前記絞り部材の光路後段側に配置され、前記変調光の一部を遮光する遮光部材と、
を備え、
前記遮光部材は、前記投写レンズの光軸に直交する面内における前記変調光が照射される照射領域において、
前記変調光が通過する開口部と、
前記照射領域の角部に重なる前記変調光を遮光する遮光領域と、
を有していることを特徴とするプロジェクター。
【請求項２】
請求項１に記載のプロジェクターであって、
前記遮光部材は、前記投写レンズ内のレンズのうち、最も光路後段側に位置する射出側レンズの光路後段側に配置されていることを特徴とするプロジェクター。
【請求項３】
請求項２に記載のプロジェクターであって、
前記射出側レンズを保持する保持部材と、
前記保持部材とで前記遮光部材を挟持し、前記保持部材に取り付けられる取付部と、
を備えていることを特徴とするプロジェクター。
【請求項４】
請求項３に記載のプロジェクターであって、
前記取付部は、回転されることによって前記射出側レンズを移動させる操作部であり、
前記開口部は、前記光軸を中心とする円弧を有して形成され、前記円弧は、前記遮光領域の縁部を形成することを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調する光変調装置と、光変調装置にて変調された光を投写する投写レンズとを備えたプロジェクターが知られている。そして、投写される画像のコントラストの向上等を目的として構成された投写レンズを備えたプロジェクターが提案されている（例えば、特許文献１参照）。
【０００３】
特許文献１の技術は、投写される画像のフレアを低減するために投写レンズ内の所定のレンズを着色して構成している。
【先行技術文献】
【特許文献】
【０００４】
【特許文献１】特開平８−１２２６３３号公報
【発明の概要】
【発明が解決しようとする課題】
【０００５】
しかしながら特許文献１に記載の投写レンズは、所定のレンズを着色しているため、透過率が低下し、投写される画像の照度が低下するという課題がある。また、レンズ全体を均一に着色することが難しく、投写される画像の色むらが発生したり、製造コストが高くなったりするという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を変調する光変調装置、および前記光変調装置にて変調された変調光を投写する投写レンズを備えたプロジェクターであって、前記投写レンズは、光量を調整する絞り部材と、前記絞り部材の光路後段側に配置され、前記変調光の一部を遮光する遮光部材と、を備え、前記遮光部材は、前記投写レンズの光軸に直交する面内における前記変調光が照射される照射領域において、前記変調光が通過する開口部と、前記照射領域の角部に重なる前記変調光を遮光する遮光領域と、を有していることを特徴とする。
【０００８】
この構成によれば、投写レンズは、絞り部材の光路後段側に配置される遮光部材を備え、遮光部材は、遮光領域にて照射領域の角部に照射される変調光を遮光する。照射領域の角部には、遮光部材の光路前段側に配置されたレンズの外縁部寄りを透過した変調光が照射される。レンズの外縁部の近傍を透過した光は、投写される画像にフレアを発生させる要因となるので、遮光部材は、このフレアを発生させる要因になる光を遮光することとなる。つまり、遮光部材を投写レンズに配置することによって、遮光部材の光路前段側に配置されるレンズの外形サイズを大きくすること無く、投写される画像のフレアを抑制することが可能となる。また、遮光部材は、絞り部材の光路後段側に配置されるので、絞り部材の光路前段側に配置される場合に比べ、照度の低下を抑制することが可能となる。よって、投写レンズの小型化や軽量化、ひいてはプロジェクターの小型化や軽量化を図りつつ、投写される画像の画質を高めることが可能となる。
【０００９】
［適用例２］上記適用例に係るプロジェクターにおいて、前記遮光部材は、前記投写レンズ内のレンズのうち、最も光路後段側に位置する射出側レンズの光路後段側に配置されていることが好ましい。
【００１０】
この構成によれば、遮光部材は、投写レンズの最も光路後段側に位置する射出側レンズの光路後段側に配置されている。これによって、射出側レンズの光路前段側に配置する構成に比べ、遮光部材を容易に投写レンズに配置することが可能となる。すなわち、投写レンズ内の複数のレンズ間に、遮光部材を配置する構成を設ける必要がないので、各レンズを効率よく配置してズーム機能やフォーカス機能等の光学性能を確保しつつ、遮光部材を投写レンズに備える構成が可能となる。よって、簡単な構成で良好な光学性能を有し、フレアを抑制する投写レンズを搭載するプロジェクターの提供が可能となる。
【００１１】
［適用例３］上記適用例に係るプロジェクターにおいて、前記射出側レンズを保持する保持部材と、前記保持部材とで前記遮光部材を挟持し、前記保持部材に取り付けられる取付部と、を備えていることが好ましい。
【００１２】
この構成によれば、遮光部材は、保持部材と取付部とに挟持されているので、取付部を保持部材から取り外すことによって、遮光部材を容易に交換することができる。これによって、サイズやアスペクト比が異なる光変調装置に対応する開口部を有する遮光部材に交換することが可能となる。よって、開口部のサイズや形状が異なる複数の遮光部材を用意し、遮光部材以外の他の構成部品を共通とする投写レンズで、解像度やアスペクト比が異なる投写を行なう複数種類のプロジェクターに対応することが可能となる。
【００１３】
［適用例４］上記適用例に係るプロジェクターにおいて、前記取付部は、回転されることによって前記射出側レンズを移動させる操作部であり、前記開口部は、前記光軸を中心とする円弧を有して形成され、前記円弧は、前記遮光領域の縁部を形成することが好ましい。
【００１４】
この構成によれば、投写レンズは、操作部の回転によって射出側レンズが移動し、投写される画像のフォーカスが調整される。そして、操作部と保持部材とに挟持された遮光部材も操作部の回転に伴って回転する。遮光領域の縁部は、光軸を中心とする円弧で形成されているので、遮光部材が回転された際にも、遮光領域が維持される。よって、プロジェクターは、フォーカスが調整された際にも、投写される画像のフレアが抑制される。
【図面の簡単な説明】
【００１５】
【図１】本実施形態におけるプロジェクターの概略構成を示す模式図。
【図２】本実施形態における投写レンズの断面図。
【図３】本実施形態における液晶ライトバルブから投写レンズに至る光路を説明するための模式図。
【図４】本実施形態における光軸方向から見た遮光部材の模式図。
【図５】本実施形態における開口部の内径の大きさと、照度の低下およびフレアとの関係を示すグラフ。
【発明を実施するための形態】
【００１６】
以下、本実施形態に係るプロジェクターについて、図面を参照して説明する。
本実施形態のプロジェクターは、光源から射出された光束を画像情報に応じて変調してスクリーン等に拡大投写する。
【００１７】
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１を有する光学ユニット３、光源装置３１や制御部に電力を供給する電源装置４等を備えている。なお、具体的な図示は省略したが、外装筐体２内には、プロジェクター１の内部を冷却する冷却ファン等が配置されている。
【００１８】
外装筐体２は、詳細な説明は省略するが、上部を構成する上ケース、下部を形成する下ケースを有している。そして、外装筐体２には、投写される光が通過する投写用開口部、外気を取り込むための吸気口、および外装筐体２内部の温まった空気を外部に排気するための排気口等が設けられている。
【００１９】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２０】
光学ユニット３は、制御部による制御の下、光源３１１から射出された光束を光学的に処理して投写する。
光学ユニット３は、図１に示すように、光源３１１を有する光源装置３１、インテグレーター照明光学系３２、色分離光学系３３、リレー光学系３４、電気光学装置３５、投写レンズ５、およびこれらの部材を光路上の所定位置に配置する光学部品用筐体３７を備える。
【００２１】
光学ユニット３は、図１に示すように平面視略Ｌ字状に形成され、一方の端部に光源装置３１が着脱可能に配置され、他方の端部に投写レンズ５が配置される。なお、以下では、説明の便宜上、光源装置３１から光束が射出される方向を＋Ｘ方向、投写レンズ５から光が射出される方向を＋Ｙ方向（前方向）、プロジェクター１が机上等に据え置かれる据置姿勢における上方を＋Ｚ方向（上方向）として記載する。
【００２２】
光源装置３１は、超高圧水銀ランプやメタルハライドランプ等からなる放電型の光源３１１、リフレクター３１２および光透過部材としての平行化レンズ３１３等を備えている。光源装置３１は、光源３１１から射出された光束をリフレクター３１２にて反射した後、平行化レンズ３１３よって射出方向を揃え、インテグレーター照明光学系３２に向けて射出する。
【００２３】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｃに対して略直交する面内にマトリクス状に配列される複数の小レンズを備えている。
【００２４】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム偏光光を液晶ライトバルブ３５１で利用可能な略１種類の偏光光に揃える機能を有する。
【００２５】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２６】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００２７】
電気光学装置３５は、光変調装置としての液晶ライトバルブ３５１および色合成光学装置としてクロスダイクロイックプリズム３５２を備え、色分離光学系３３で分離された各色光を画像情報に応じて変調し、変調した各色光を合成する。
【００２８】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００２９】
液晶ライトバルブ３５１は、図示しない微小画素がマトリクス状に形成された矩形状の画素領域（変調領域３５１Ａ、図３、図４参照）を有し、各画素が表示画像信号に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００３０】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調されたＲ光およびＢ光の変調光を反射し、液晶ライトバルブ３５１Ｇにて変調されたＧ光の変調光を透過して、３色の変調光を合成する。
【００３１】
投写レンズ５は、複数のレンズを有して構成され、液晶ライトバルブ３５１にて変調され、クロスダイクロイックプリズム３５２にて合成された光をスクリーン上に拡大投写する。なお、投写レンズ５については、後で詳細に説明する。
【００３２】
電源装置４は、詳細な説明は省略するが、電源ブロックおよび光源装置３１を駆動する光源駆動ブロックを備え、制御部および光源３１１等の電子部品に電力を供給する。
【００３３】
〔投写レンズの構成〕
ここで、投写レンズ５について、詳細に説明する。
図２は、投写レンズ５の断面図であり、一部のレンズを省略した図である。図３は、液晶ライトバルブ３５１から投写レンズ５に至る光路を説明するための模式図であり、上方から見た図である。なお、図３は、光路を認識し易いように、３つの液晶ライトバルブ３５１のうち、液晶ライトバルブ３５１Ｇのみを示す図である。
投写レンズ５は、図２、図３に示すように、複数のレンズに加え、絞り部材５１、案内筒５２、図示しないカム筒、保持部材５３、ズームリング５４、操作部としてのフォーカスリング５５、および遮光部材５６を備えている。
【００３４】
詳細な説明は省略するが、複数のレンズは、図３に示すように、最も光路後段側に位置する射出側レンズ５７を有して光軸５ｃに沿って配置されており、投写される画像がズーム調整、およびフォーカス調整可能に構成されている。
【００３５】
絞り部材５１は、図３に示すように、中央部に開口部が設けられており、複数のレンズの間に配置される。そして、絞り部材５１は、クロスダイクロイックプリズム３５２から射出され、絞り部材５１の光路前段側に配置された複数のレンズを透過した光の光量を調整する。
【００３６】
案内筒５２は、円筒状に形成され、内部に複数のレンズおよび絞り部材５１が収納される。また、案内筒５２には、図２に示すように、光路後段側の内面にネジ溝５２１が形成されている。
【００３７】
図示しないカム筒は、円筒状に形成され、内側に案内筒５２が嵌挿される。そして、カム筒が案内筒５２に対して回転されると、ズーム調整に寄与するレンズは、光軸５ｃに沿って移動する。
【００３８】
保持部材５３は、図２に示すように、案内筒５２の光路後段側に配置される。保持部材５３は、円筒状に形成されており、光路後段側の内面で射出側レンズ５７を保持する。保持部材５３は、光路前段側の外周面にネジ溝（図示省略）が形成されており、案内筒５２のネジ溝５２１に螺合されて案内筒５２に回転可能に取り付けられている。そして、保持部材５３が回転されると、射出側レンズ５７が光軸５ｃに沿って移動する。
【００３９】
ズームリング５４は、外側に向かって突出する把持部５４１を有し、カム筒の外面にネジ固定される。投写レンズ５は、この把持部５４１が把持されて回転されることによって、カム筒が回転し、ズーム調整に寄与するレンズが移動して投写される画像のズームが調整される。
【００４０】
フォーカスリング５５は、外側に向かって突出する把持部５５１を有し、保持部材５３の外周を覆うように円筒状に形成されている。そして、フォーカスリング５５は、ネジ等によって保持部材５３に着脱可能に取り付けられる。投写レンズ５は、この把持部５５１が把持されて回転されることによって、保持部材５３に保持されている射出側レンズ５７が移動し、投写される画像の焦点が調整される。フォーカスリング５５は、取付部に相当する。
また、投写レンズ５は、プロジェクター１が机上等に設置された姿勢において上方にあおり投写するように構成されている。
【００４１】
遮光部材５６は、射出側レンズ５７の光路後段側に配置され、変調光の一部を遮光するように形成されている。遮光部材５６は、光を遮光する板材で、中央部に変調光が通過する開口部５６１を有して形成されている。そして、遮光部材５６は、図３に示すように、光軸５ｃに直交するように配置される。本実施形態の遮光部材５６は、耐熱性の高い、黒色の合成樹脂製の材料が採用されている。なお、遮光部材５６は、合成樹脂に限らず、金属で形成してもよい。
【００４２】
遮光部材５６は、射出側レンズ５７を透過した変調光のうち、光軸５ｃから離れた位置の変調光を遮光するように形成されている。
図４は、光軸５ｃ方向から見た遮光部材５６の模式図である。
遮光部材５６は、図４に示すように、外形および開口部５６１が平面視において同心の円形に形成され、この円形の中心が光軸５ｃと略一致するように配置される。つまり、開口部５６１は、平面視において光軸５ｃを中心とする円形に形成されることとなる。
【００４３】
遮光部材５６は、図２に示すように、外形がフォーカスリング５５の内部に収納可能な大きさに形成されている。そして、遮光部材５６は、図２に示すように、保持部材５３とフォーカスリング５５とに挟持されて固定される。また、遮光部材５６は、フォーカスリング５５が保持部材５３から取り外されることによって、容易に交換できるように固定される。なお、図２では、遮光部材５６を認識し易くするために、遮光部材５６を保持部材５３およびフォーカスリング５５と離間して図示している。
【００４４】
開口部５６１の内径５６Ａは、変調光の一部を遮光し、他の変調光を通過させる大きさに形成されている。具体的に、遮光部材５６は、図３に示すように、液晶ライトバルブ３５１の変調領域３５１Ａからの多くの変調光を通過させ、上下方向における一方の両角部からの変調光の一部を遮光する（図３においては、両角部のうち、一方の角部からの光路を点線で示す）。つまり、開口部５６１の内径５６Ａは、光軸５ｃを中心として、光軸５ｃから、射出側レンズ５７を透過する変調光の最も遠い位置までを半径とする光束領域径５７Ａより小さく形成されている。
【００４５】
遮光部材５６が変調光の一部を遮光する領域について、さらに、図４を用いて説明する。
遮光部材５６が配置される面内、つまり光軸５ｃに直交する面内において、変調光が照射される照射領域６は、図４に示すように、液晶ライトバルブ３５１の変調領域３５１Ａに対応する略矩形状に形成される。また、照射領域６は、光軸５ｃに対して変調領域３５１Ａが１８０°回転された位置に対応する位置に形成される。照射領域６は、前述したように、投写レンズ５が上方にあおり投写するように構成されているので、光軸５ｃに対して上側にシフトした位置に形成される。
【００４６】
そして、遮光部材５６は、前述したように、内径５６Ａが光束領域径５７Ａより小さく形成されていることから、図４に示すように、照射領域６の上側の両角部に重なる領域（遮光領域７）を有する。また、遮光領域７は、あおり投写される側と同一側の両角部に形成される。そして、遮光部材５６は、この遮光領域７にて変調光の一部を遮光することとなる。つまり、開口部５６１の縁部は、遮光領域７の内側の縁部を形成し、遮光部材５６は、射出側レンズ５７の外縁部の近傍を透過した変調光を遮光することとなる。
【００４７】
また、遮光領域７にて変調光の一部が遮光されるため、投写される画像は、この遮光領域７に対応する部分の照度が低下することとなるが、射出側レンズ５７の外縁部の近傍からの変調光が射出されないので、フレアの発生が抑制される。
【００４８】
図５は、開口部５６１の内径５６Ａの大きさと、照度の低下およびフレアとの関係を示すグラフである。具体的に、図５は、横軸に内径５６Ａの大きさを示し、縦軸に照度低下の割合、およびフレアの量を示している。ここで、照度低下の割合とは、投写された画像の上側の両角部に注目し、遮光部材が配置されない場合に対して、遮光部材が配置された場合の照度の低下率をいう。具体的に、図５の照度低下の割合は、スクリーンに投写された所定の画像を縦横に５×５に分割し、上側の両角部のそれぞれ１つのエリアの中央部の照度の低下率のデータである。
【００４９】
図５に示すように、内径５６Ａが光束領域径５７Ａより小さくなるに従って、照度低下の割合が上昇し、フレアの量は、小さくなる。本実施形態の遮光部材５６は、照度低下の割合が略１．５％以下で、フレアの量が略１５μｍ以下となるように内径５６Ａが設定されている。
【００５０】
保持部材５３とフォーカスリング５５とに挟持された遮光部材５６は、フォーカスが調整される際に、フォーカスリング５５の回転に伴って回転する。遮光部材５６は、開口部５６１が円形に形成され、前述したように、開口部５６１の中心が光軸５ｃと略一致するように配置されるので、回転された際にも、遮光領域７が維持される。
【００５１】
また、本実施形態では、異なる解像度の投写を行なう複数の機種のプロジェクター１に対応して開口部５６１が異なる複数の遮光部材５６が準備されている。具体的に、遮光部材５６は、解像度がＷＸＧＡ（１２８０画素×８００画素）の投写を行なうプロジェクター１用、および解像度がＸＧＡ（１０２４画素×７６８画素）の投写を行なうプロジェクター１用にそれぞれ対応する開口部５６１の遮光部材５６が準備されている。そして、投写レンズ５には、それぞれのプロジェクター１に対応する遮光部材５６が組み込まれる。
このように、遮光部材５６は、プロジェクター１に対応して投写レンズ５に組み込まれ、射出側レンズ５７の外縁部の近傍を透過した変調光を遮光する。
【００５２】
以上説明したように、本実施形態のプロジェクター１によれば、以下の効果を得ることができる。
（１）遮光部材５６は、射出側レンズ５７の外縁部の近傍を透過した変調光を遮光するので、フレアを発生させる要因になる光を遮光することとなる。これによって、遮光部材５６の光路前段側に配置される射出側レンズ５７等のレンズの外形サイズを大きくすること無く、投写される画像のフレアを抑制することが可能となる。また、遮光部材５６は、絞り部材５１の光路後段側に配置されるので、絞り部材５１の光路前段側に配置される場合に比べ、照度の低下を抑制することが可能となる。よって、投写レンズ５の小型化や軽量化、ひいてはプロジェクター１の小型化や軽量化を図りつつ、投写される画像の画質を高めることが可能となる。
【００５３】
（２）遮光部材５６は、射出側レンズ５７の光路後段側に配置されている。これによって、射出側レンズ５７の光路前段側に配置する構成に比べ、遮光部材５６を容易に投写レンズ５に配置することが可能となる。すなわち、投写レンズ５内の複数のレンズ間に、遮光部材５６を配置する構成を設ける必要がないので、各レンズを効率よく配置してズーム機能やフォーカス機能等の光学性能を確保しつつ、容易に遮光部材５６を投写レンズ５に備える構成が可能となる。
【００５４】
（３）遮光部材５６は、保持部材５３とフォーカスリング５５とに挟持されているので、フォーカスリング５５を保持部材５３から取り外すことによって、遮光部材５６を容易に交換することができる。これによって、サイズやアスペクト比が異なる液晶ライトバルブ３５１に対応する開口部５６１を有する遮光部材５６に交換することが可能となる。よって、開口部５６１のサイズや形状が異なる複数の遮光部材５６を用意し、遮光部材５６以外の他の構成部品を共通とする投写レンズ５で、解像度やアスペクト比が異なる投写を行なう複数種類のプロジェクター１に対応することが可能となる。
【００５５】
（４）遮光領域７の縁部（開口部５６１の縁部）は、光軸５ｃを中心とする円弧で形成されているので、遮光部材５６が回転された際にも、遮光領域７が維持される。よって、プロジェクター１は、フォーカスが調整された際にも、投写される画像のフレアが抑制される。
【００５６】
（変形例）
なお、前記実施形態は、以下のように変更してもよい。
前記実施形態の遮光部材５６は、開口部５６１が平面視円形に形成されているが、フォーカスリング５５が回転される範囲内において、遮光領域７の大きさが変更なく維持されるように部分的に円弧状に形成してもよい。また、円弧状に限らず、円弧状に近似する曲線や直線で形成してもよい。
【００５７】
前記実施形態では、遮光部材５６は、射出側レンズ５７の光路後段側に配置されているが、絞り部材５１の光路後段側に配置されていれば他のレンズ間に配置してもよい。
【００５８】
前記実施形態では、遮光部材５６は、解像度がＷＸＧＡ、ＸＧＡの投写をそれぞれ行なうプロジェクター１用に備えられているが、他の解像度や、変調領域３５１Ａの大きさが異なるプロジェクター１用にも対応するように形成してもよい。
【００５９】
前記実施形態のプロジェクター１は、光変調装置として透過型の液晶ライトバルブ３５１を用いているが、反射型液晶ライトバルブを利用したものであってもよい。
【００６０】
光源３１１は放電型のランプに限らず、その他の方式のランプや発光ダイオード等の固体光源で構成してもよい。
【符号の説明】
【００６１】
１…プロジェクター、３…光学ユニット、５…投写レンズ、５ｃ…光軸、６…照射領域、７…遮光領域、３１…光源装置、３５…電気光学装置、５１…絞り部材、５３…保持部材、５５…フォーカスリング、５６…遮光部材、５６Ａ…内径、５７…射出側レンズ、５７Ａ…光束領域径、３１１…光源、３５１Ａ…変調領域、３５１，３５１Ｒ，３５１Ｇ，３５１Ｂ…液晶ライトバルブ、５６１…開口部。
【図１】
2012137605.tif 000003
【図２】
2012137605.tif 000004
【図３】
2012137605.tif 000005
【図４】
2012137605.tif 000006
【図５】
2012137605.tif 000007